【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
高分子材料または複合材料を得る方法であって、
硬質のマイクロ相またはナノ相と、
高分子足場を含む軟質のマイクロ相またはナノ相と、を含む多相軟質−硬質構造を構築することを含み、
前記高分子足場は、動的に相互作用するモチーフを含み、前記材料の意図する動作温度よりも低いガラス転移温度（Ｔg）を有する、方法。
【請求項２】
前記硬質相は、
前記材料の前記意図する動作温度よりも高い溶融温度（Ｔm）もしくはＴgを有するオリゴマーもしくはポリマーの非晶質もしくは結晶質アセンブリ、または
球、立方体、細線維、ロッド、およびシート、もしくはそれらの組み合わせからなる群から選択される、予め形成されたマイクロ物体またはナノ物体を含む、請求項１に記載の方法。
【請求項３】
前記マイクロ物体もしくはナノ物体は、有機、無機、もしくは金属性のマイクロ物体もしくはナノ物体、またはそれらの組み合わせである、請求項２に記載の方法。
【請求項４】
前記軟質相は、線形、分岐、超分岐、もしくは樹枝状の高分子構造、またはそれらの組み合わせを含む、請求項１に記載の方法。
【請求項５】
前記硬質相は、スチレン、ポリノルボルネン、またはポリカーボネートを含み、
前記軟質相は、前記動的に相互作用するモチーフとしての水素結合アルコールとともに、アクリル、ポリビニル、ポリシロキサン、ポリエステル、またはポリエチレンを含む、請求項１に記載の方法。
【請求項６】
前記動的に相互作用するモチーフは、
単座もしくは複座の水素結合基、イオン性相互作用基、ｐｉ−ｐｉスタッキング基、金属−リガンド相互作用基、もしくは疎水性相互作用基を含む超分子相互作用モチーフ、または
使用条件下で、触媒、外部トリガ、またはエネルギー入力の補助を伴ってまたは伴わずに、動的に交換することが可能な共有結合を含む動的共有結合モチーフである、請求項１に記載の方法。
【請求項７】
前記硬質相は、オリゴマーまたはポリマーの非晶質または結晶質アセンブリを含み、前記軟質相は、前記硬質相にグラフト化され、かつ一価または多価の動的非共有結合モチーフを含有するオリゴマーまたはポリマーを含む、請求項１に記載の方法。
【請求項８】
前記構築することは、
前記硬質相の形成のためにオリゴマーまたはポリマーを得ることであって、前記オリゴマーまたはポリマーは、前記材料の前記意図する動作温度よりも高いＴmまたはＴgを有し、前記高分子足場への付着のための官能基を含むこと、
前記オリゴマーもしくはポリマーからの巨大分子の成長によって、または予め合成した巨大分子の前記オリゴマーもしくはポリマーへの付着によって、前記オリゴマーもしくはポリマーに付着したオリゴマーもしくはポリマー巨大分子を調製することであって、前記巨大分子は、前記動的に相互作用するモチーフを担持するモノマーを含むこと、および
前記オリゴマーまたはポリマーに付着した前記オリゴマーまたはポリマー巨大分子を加工して前記多相軟質−硬質構造を生成すること、を含む、請求項１に記載の方法。
【請求項９】
前記巨大分子は、前記オリゴマーまたはポリマーに化学的または物理的に付着している、請求項８に記載の方法。
【請求項１０】
前記構築することは、
前記硬質相の形成のためにマイクロ物体またはナノ物体を得ることであって、前記マイクロ物体またはナノ物体は、前記高分子足場への付着のための官能基を含有すること、
前記マイクロ物体もしくはナノ物体からの巨大分子の成長によって、または前記マイクロ物体もしくはナノ物体への予め合成した巨大分子の付着によって、前記マイクロ物体もしくはナノ物体に付着したオリゴマーもしくはポリマー巨大分子を調製することであって、前記巨大分子は、前記動的に相互作用するモチーフを担持するモノマーを含むこと、および
前記マイクロ物体またはナノ物体に付着した前記オリゴマーまたはポリマー巨大分子を加工して前記多相軟質−硬質構造を生成すること、を含む、請求項１に記載の方法。
【請求項１１】
前記巨大分子は、前記マイクロ物体またはナノ物体に化学的または物理的に付着している、請求項１０に記載の方法。
【請求項１２】
前記硬質相は、前記材料の前記意図する動作温度よりも高いＴmまたはＴgを有し、かつ加工されると球状、円柱状、または他のマイクロ構造に構築されるポリマーから調製され、前記軟質相は、動的に相互作用するモチーフを含むホモオリゴマーもしくはホモポリマー、異なる動的に相互作用するモチーフを含むコオリゴマーもしくはコポリマー、または動的に相互作用するモチーフおよびさらなる官能性コモノマーを含むコオリゴマーもしくはコポリマー、を含む、請求項１に記載の方法。
【請求項１３】
前記硬質相は、無機粒子またはナノ粒子を含み、前記軟質相は、動的に相互作用するモチーフを含むホモオリゴマーもしくはホモポリマー、異なる動的に相互作用するモチーフを含むコオリゴマーもしくはコポリマー、または動的に相互作用するモチーフおよびさらなる官能性コモノマーを含むコオリゴマーもしくはコポリマー、を含む、請求項１に記載の方法。
【請求項１４】
前記硬質相は、マイクロカーボンまたはナノカーボン材料を含み、前記軟質相は、前記マイクロカーボンまたはナノカーボン材料に共有結合的に連結され、動的に相互作用するモチーフを含むホモオリゴマーもしくはホモポリマー、異なる動的に相互作用するモチーフを含むコオリゴマーもしくはコポリマー、または動的に相互作用するモチーフおよびさらなる官能性コモノマーを含むコオリゴマーもしくはコポリマー、を含む、請求項１に記載の方法。
【請求項１５】
前記硬質相は、合成のまたは生物由来の有機ナノ物体を含み、前記軟質相は、前記ナノ物体に共有結合的に連結され、動的に相互作用するモチーフを含むホモオリゴマーもしくはホモポリマー、異なる動的に相互作用するモチーフを含むコオリゴマーもしくはコポリマー、または動的に相互作用するモチーフおよびさらなる官能性コモノマーを含むコオリゴマーもしくはコポリマー、を含む、請求項１に記載の方法。
【請求項１６】
前記軟質相は、動的に相互作用するモチーフを含むオリゴマーまたはポリマー、および前記軟質相に永久的な共有結合接続を形成する潜在的な共有結合架橋官能基を含む、請求項１に記載の方法。
【請求項１７】
前記軟質相は、動的に相互作用するモチーフを含むオリゴマーまたはポリマー、および充填剤または他の軟質相補強材料を含む、請求項１に記載の方法。
【請求項１８】
前記軟質相は、動的に相互作用するモチーフを含むコオリゴマーまたはコポリマーと、１つ以上の非ＤＩＭ官能性モノマーとを含む、請求項１に記載の方法。
【請求項１９】
意図する動作温度において自己修復し、かつ多相軟質−硬質構造であるナノコンポジット材料であって、
前記多相軟質−硬質構造は、硬質のマイクロ相またはナノ相と、動的に相互作用するモチーフを有する高分子足場を含む軟質のマイクロ相またはナノ相とを含み、
前記軟質相は、前記材料の前記意図する動作温度よりも低いガラス転移温度（Ｔg）を有し、
前記動的に相互作用するモチーフは、単座または複座の水素結合基、イオン性相互作用基、ｐｉ−ｐｉスタッキング基、金属−リガンド相互作用基、または疎水性相互作用基のうち少なくとも１つを含む超分子相互作用モチーフであり、
前記硬質相は、（ｉ）前記材料の前記意図する動作温度よりも高い溶融温度を有するオリゴマーもしくはポリマーの非晶質もしくは結晶質アセンブリ、（ｉｉ）前記材料の前記意図する動作温度よりも高いＴgを有するオリゴマーもしくはポリマーの非晶質もしくは結晶質アセンブリ、（ｉｉｉ）球、立方体、細線維、ロッド、およびシートからなる群から選択される、予め形成されたマイクロ物体またはナノ物体、または、（ｉｖ）それらの組み合わせを含み、
前記軟質相は、前記硬質相に共有結合的に連結されている、ナノコンポジット材料。
【請求項２０】
前記動的に相互作用するモチーフは、金属−リガンド相互作用基を含む超分子相互作用モチーフであり、前記金属−リガンド相互作用基は、イミダゾール部分及び金属カチオンを含む、請求項１９に記載のナノコンポジット材料。